(57)【要約】  【課題】スライダーの構成部品を最小限に押え、部品を一定方向から供給し、組立ての簡素化を図った引手後付けタイプの自動停止装置付スライダーを提供する。  【解決手段】スライダーは、胴体１、爪杆２、板バネ３、カバー４の四部材から構成し、胴体１に設けた挿入孔１９に爪杆２を挿入し、ガイド溝１３に停止爪２８を出没可能に形成し、爪杆２の一端を胴体１の上面に立設した取付柱１７に載置して掛止し、その上方を板バネ３とカバー４で被覆し、カバー４の前部３１の側壁３５を取付柱１７に枢支して回動可能に形成し、カバー４の後部３９を浮上させて間隙４１を設け、この部分から引手５の軸部４０を爪杆２に挿入した後、カバー４の係止部３８を胴体１の被係止部２３に係止して固定できる引手後付けタイプの自動停止装置付スライドファスナー用スライダーである。  【選択図】図３
2008173344.tif 000002
【特許請求の範囲】
【請求項１】
ファスナーエレメントが挿通可能なガイド溝１３を備えた胴体１と、胴体１の上面に配置され、胴体１に形成した挿入孔１９からガイド溝１３内へ出没可能な停止爪２８と、胴体１の後口１６側に向けて開口し、引手５の軸部４０を収容可能な作動凹部２９とを備えた爪杆２と、胴体１の上面の肩口１５側に立設した取付柱１７に支持され、内部に爪杆２を収容するカバー４と、爪杆２とカバー４との間に弾接して配される板バネ３とを備え、カバー４は、取付柱１７に対して上下方向に回動可能に枢支された前部３１と、胴体１の後口１６側の上面との間に引手５の軸部４０を挿通可能な間隙４１を空けて配置される後部３９とを備え、後部３９に弾性変形可能な係止部３８を設け、胴体１の上面の後口１６側に係止部３８と係止可能な被係止部２３を設け、カバー４を下方へ回動させることで、カバー４の後部３９を胴体１へ接近させて間隙４１を閉鎖させ、係止部３８と被係止部２３とを係止可能に形成したことを特徴とする引手後付けタイプの自動停止装置付スライドファスナー用スライダー。
【請求項２】
胴体１の上面には、取付柱１７よりも肩口１５側と、取付柱１７の左右両側とに、カバー４の前部３１の前方壁３３と左右側壁３５とを嵌装できる凹陥部２０を設けてなる請求項１記載の自動停止装置付スライドファスナー用スライダー。
【請求項３】
胴体１の上面には、後口１６側で、被係止部２３の左右両側に、カバー４の後部３９の左右側壁３５を嵌装できる受入溝２２を設けてなる請求項１記載の自動停止装置付スライドファスナー用スライダー。
【請求項４】
カバー４の後部３９の後方壁３４に弾性変形可能な係止舌片３７を設け、係止舌片３７の先端に後方壁３４よりも下方へ突出する係止部３８を形成し、胴体１に係止部３８を収容可能な収容凹部２４を設けてなる請求項１記載の自動停止装置付スライドファスナー用スライダー。
【請求項５】
取付柱１７の左右両側面に枢支溝２１を設け、カバー４の前部３１の左右両側壁３５を塑性変形させて、側壁３５に枢支溝２１に遊嵌する凸部４２を形成し、カバー４が凸部４２を中心にして回動可能に形成してなる請求項１記載の自動停止装置付スライドファスナー用スライダー。
【請求項６】
カバー４の前部３１の左右両側壁３５と前方壁３３との下端縁に、カバー４の前方側から後方側へ向けて下り勾配の傾斜面４３を形成してなる請求項１記載の自動停止装置付スライドファスナー用スライダー。
【請求項７】
カバー４の後部３９の左右両側壁３５の下端縁に、カバー４の後方側から前方側へ向けて上り勾配の切欠部４４を形成してなる請求項１記載の自動停止装置付スライドファスナー用スライダー。
【発明の詳細な説明】
【技術分野】
【０００１】
この発明は、最小限の部品点数で構成する引手後付けタイプのスライダーであり、商品例えば衣服、カバンなどを取扱業者が、自由かつ希望するデザイン、ブランドの引手を後付け工程で簡単に胴体へ取り付けることができる自動停止装置付スライドファスナー用スライダーである。
【背景技術】
【０００２】
従来の自動停止装置付スライドファスナー用スライダーにおいて、引手を後付けすることができ、また、後から引手を取り外すこともできる自動停止装置付スライドファスナー用スライダーが知られている。例えば図８，９に示すように、カバーすなわち引手保持体を胴体上の取付柱にピンを用いて固定し、胴体とカバーとの間に胴体の後口側へ向けて開口する間隙を形成し、この間隙を上翼板上に沿ってコイルスプリングの弾力によって摺動できる閉鎖部材により閉鎖して、引手を未装着のスライダーに対して引手を後付け、または取り外すことができる自動停止装置付スライドファスナー用スライダーである。
【特許文献１】実公平４−３２９７４号公報
【発明の開示】
【発明が解決しようとする課題】
【０００３】
前項で述べた図８，９に示す引手を着脱できる自動停止装置付スライドファスナー用スライダーは、スライダーを構成する部品点数が多く、しかもスライダーを組立てるのに部品が胴体の上方と、後方と、側方の３方向から供給されるため組立て作業に手間を要する。そのため、自動停止装置付スライドファスナー用スライダーを安価かつ高速で生産し、需要者に提供することがきわめて困難な問題点がある。
【０００４】
この発明は、上述の問題点を考慮して発明されたものであり、この発明のうち請求項１記載の発明は、引手後付けタイプの自動停止装置付スライドファスナー用スライダーを構成する部品点数を極力少なくし、かつ高価なコイルスプリングを用いずに、安価な板バネを用いてコストダウンを図り、そのうえ組立ての際の部品の供給方向を一方向のみにして組立ての高速化を図り、需要者が望むデザイン、ブランドの引手を組立て後のスライダーへ容易に後付けすることができる引手後付けタイプの自動停止装置付スライドファスナー用スライダーを提供することが主たる目的である。
【０００５】
請求項２記載の発明は、請求項１記載の発明の目的に加え、爪杆、板バネを被覆するカバーを胴体上に安定した状態で保持することができ、かつカバーの回動動作をガイドすることができる自動停止装置付スライドファスナー用スライダーを提供することが目的である。
【０００６】
請求項３記載の発明は、請求項１記載の発明の目的に加え、カバーに左右方向から外力が加わってもずれ動くのを未然に防ぎ、安定した状態でカバーを保持することができる自動停止装置付スライドファスナー用スライダーを提供することが目的である。
【０００７】
請求項４記載の発明は、請求項１記載の発明の目的に加え、カバーに設けた係止部が無理なく弾性変形し、係止部と被係止部との係止が容易に行えるほか、係止状態にある係止部を保護して破損から守ることができる自動停止装置付スライドファスナー用スライダーを提供することが目的である。
【０００８】
請求項５記載の発明は、請求項１記載の発明の目的に加え、取付柱に対するカバーの枢支構造をピンを用いることなく簡単な形態とし、コストダウンを図った自動停止装置付スライドファスナー用スライダーを提供することが目的である。
【０００９】
請求項６記載の発明は、請求項１記載の発明の目的に加え、カバーをスライダー胴体へ設置したとき、カバーの形態を、カバーと胴体との間に引手を後付けするために必要な間隙を形成した形態に保持する自動停止装置付スライドファスナー用スライダーを提供することが目的である。
【００１０】
請求項７記載の発明は、請求項１記載の発明の目的に加え、後付け工程で引手の軸部を容易に胴体とカバーとの間の間隙に挿入した際に、引手の軸部をスムーズに爪杆の作動凹部に向けて移動させることができる自動停止装置付スライドファスナー用スライダーを提供することが目的である。
【課題を解決するための手段】
【００１１】
前記の目的を達成するため、この発明のうち請求項１記載の発明は、自動停止装置付スライドファスナー用スライダーは、ファスナーエレメントが挿通可能なガイド溝１３を備えた胴体１と、胴体１の上面に配置され、胴体１に形成した挿入孔１９からガイド溝１３内へ出没可能な停止爪２８と、胴体１の後口１６側に向けて開口し、引手５の軸部４０を収容可能な作動凹部２９とを備えた爪杆２と、胴体１の上面の肩口１５側に立設した取付柱１７に支持され、内部に爪杆２を収容するカバー４と、爪杆２とカバー４との間に弾接して配される板バネ３とを備え、カバー４は、取付柱１７に対して上下方向に回動可能に枢支された前部３１と、胴体１の後口１６側の上面との間に引手５の軸部４０を挿通可能な間隙４１を空けて配置される後部３９とを備え、後部３９に弾性変形可能な係止部３８を設け、胴体１の上面の後口１６側に係止部３８と係止可能な被係止部２３を設け、引手５の軸部４０を間隙４１から挿入させた後に、カバー４を下方へ回動させることで、カバー４の後部３９を胴体１へ接近させて間隙４１を閉鎖するとともに、係止部３８を弾性変形させて被係止部２３と係止可能に形成してなる引手後付けタイプの自動停止装置付スライドファスナー用スライダーを主な構成とするものである。
【００１２】
請求項２記載の発明は、請求項１記載の発明の構成に加え、胴体１の上面には、取付柱１７よりも肩口１５側と、取付柱１７の左右両側とに、カバー４の前部３１の前方壁３３と左右側壁３５とを嵌装できる凹陥部２０を設けた自動停止装置付スライドファスナー用スライダーである。
【００１３】
請求項３記載の発明は、請求項１記載の発明の構成に加え、胴体１の上面には、後口１６側で、被係止部２３の左右両側に、カバー４の後部３９の左右側壁３５を嵌装できる受入溝２２を設けた自動停止装置付スライドファスナー用スライダーである。
【００１４】
請求項４記載の発明は、請求項１記載の発明の構成に加え、カバー４の後部３９の後方壁３４に弾性変形可能な係止舌片３７を設け、係止舌片３７の先端に後方壁３４よりも下方へ突出する係止部３８を形成し、胴体１に係止部３８を収容可能な収容凹部２４を設けた自動停止装置付スライドファスナー用スライダーである。
【００１５】
請求項５記載の発明は、請求項１記載の発明の構成に加え、取付柱１７の左右両側面に枢支溝２１を設け、カバー４の前部３１の左右両側壁３５を塑性変形させて、側壁３５に枢支溝２１に遊嵌する凸部４２を形成し、カバー４が凸部４２を中心にして回動可能に形成した自動停止装置付スライドファスナー用スライダーである。
【００１６】
請求項６記載の発明は、請求項１記載の発明の構成に加え、カバー４の前部３１の左右両側壁３５と前方壁３３との下端縁に、カバー４の前方側から後方側へ向けて下り勾配の傾斜面４３を形成した自動停止装置付スライドファスナー用スライダーである。
【００１７】
請求項７記載の発明は、請求項１記載の発明の構成に加え、カバー４の後部３９の左右両側壁３５の下端縁に、カバー４の後方側から前方側へ向けて上り勾配の切欠部４４を形成した自動停止装置付スライドファスナー用スライダーである。
【発明の効果】
【００１８】
この出願の発明の効果として、請求項１記載の発明は、引手後付けタイプの自動停止装置付スライドファスナー用スライダーは、ファスナーエレメントが挿通可能なガイド溝を備えた胴体と、胴体の上面に配置され、胴体に形成した挿入孔からガイド溝内へ出没可能な停止爪と、胴体の後口側に向けて開口し、引手の軸部を収容可能な作動凹部とを備えた爪杆と、胴体の上面の肩口側に立設した取付柱に支持され、内部に爪杆を収容するカバーと、爪杆とカバーとの間に弾接して配される板バネとを備え、カバーは、取付柱に対して上下方向に回動可能に枢支された前部と、胴体の後口側の上面との間に引手の軸部を挿通可能な間隙を空けて配置される後部とを備え、後部に弾性変形可能な係止部を設け、胴体の上面の後口側に係止部と係止可能な被係止部を設け、カバーを下方へ回動させることで、カバーの後部を胴体へ接近させて間隙を閉鎖させ、係止部と被係止部とを係止可能に形成したことによって、下記の効果を奏する。
【００１９】
引手後付けタイプの自動停止装置付スライドファスナー用スライダーを構成する部品点数を少なくすることができ、かつ従来品のように高価なコイルスプリングを用いず、安価な板バネを用いたので、スライダーのコストダウンを図ることができる。また、組立て時における部品の供給方向を上方からのみの一方向としたため、組立て作業が簡素化され、スライダーの組立てを高速で行うことができる効果がある。
【００２０】
請求項２記載の発明は、請求項１記載の発明の効果に加え、胴体の上面には、取付柱よりも肩口側と、取付柱の左右両側とに、カバーの前部の前方壁と左右側壁とを嵌装できる凹陥部を設けたことによって、カバーの前部が取付柱と凹陥部とによって支持され、カバーに外力が加わってもカバーが胴体から分離してしまうことを確実に防止することができ、かつカバーの左右側壁と凹陥部の内側面とが対面して、カバーが回動する際に適切な方向へ回動するように回動方向をガイドすることができる効果がある。
【００２１】
請求項３記載の発明は、請求項１記載の発明の効果に加え、胴体の上面には、後口側で、被係止部の左右両側に、カバーの後部の左右側壁を嵌装できる受入溝を設けたことによって、カバーを胴体上にセットしたとき、カバーの後部が受入溝によって支持され、カバーに外力が加わってもカバーが胴体から分離してしまうことを防止することができる効果がある。
【００２２】
請求項４記載の発明は、請求項１記載の発明の効果に加え、カバーの後部の後方壁に弾性変形可能な係止舌片を設け、係止舌片の先端に後方壁よりも下方へ突出する係止部を形成し、胴体に係止部を収容可能な収容凹部を設けたことによって、係止舌片が係止部の弾性変形を補助し、係止部と被係止部との係止を容易に行うことができ、また、係止部が係止状態にあるとき、収容凹部が係止部を収容して、係止部と他物との接触を防ぎ、係止部が破損することを防止することができる効果がある。
【００２３】
請求項５記載の発明は、請求項１記載の発明の効果に加え、取付柱の左右両側面に枢支溝を設け、カバーの前部の左右両側壁を塑性変形させて、側壁に枢支溝に遊嵌する凸部を形成し、カバーが凸部を中心にして回動可能に形成したことによって、カバーが回動するための構造を、ピンなどを用いて構成点数を増やすことなく、簡単な構造で形成することができ、スライダーのコストダウンを図ることができる効果がある。
【００２４】
請求項６記載の発明は、請求項１記載の発明の効果に加え、カバーの前部の左右両側壁と前方壁との下端縁に、カバーの前方側から後方側へ向けて下り勾配の傾斜面を形成したことによって、カバーが胴体上面との間に引手の軸部を挿通可能な間隙を形成する姿勢にあるとき、傾斜面は胴体と接して、カバーが上方側へ回動することを規制するストッパーとなり、カバーを適正な姿勢に保持することができる効果がある。
【００２５】
請求項７記載の発明は、請求項１記載の発明の効果に加え、カバーの後部の左右両側壁の下端縁に、カバーの後方側から前方側へ向けて上り勾配の切欠部を形成したことによって、引手の軸部を間隙から挿入した際に、軸部とカバーの後部の側壁との接触が回避され、側壁が軸部の移動を妨げることなく、軸部を爪杆の作動凹部に向けて容易に移動させることができる効果があるなど、この発明が奏する効果はきわめて顕著である。
【発明を実施するための最良の形態】
【００２６】
この発明における引手後付けタイプの自動停止装置付スライドファスナー用スライダーは、図１に示すように胴体１、爪杆２、板バネ３、カバー４の四部材をあらかじめ組立て、後から引手５を組み付ける。これらの部材は金属製であり、胴体１と引手５は亜鉛合金またはアルミニウム合金をダイカスト成形し、爪杆２、板バネ３、カバー４は銅合金またはステンレス銅をプレス成形して形成される。胴体１は上翼板１０と下翼板１１とを案内柱１２で連結し、上翼板１０の肩口１５側、すなわち案内柱１２の上方位置にカバー４を取り付けるための取付柱１７を立設する。取付柱１７の左右方向の中央に爪杆２の一端に設けた支持凸部２７を載置して掛止する凹状の支持凹部１８を設け、この支持凹部１８から胴体１の前後方向の中央へ向けて、爪杆２の下片２６が挿入される挿入孔１９を上翼板１０の上面に穿設する。胴体１における取付柱１７よりも肩口１５側の部分と取付柱１７の左右両側部分にカバー４の前部３１における前方壁３３と左右の側壁３５の下端部分が嵌装できる凹状の凹陥部２０を上翼板１０の上面に設ける。上翼板１０の後口１６側にカバー４に設けた係止部３８が係止できる被係止部２３と、係止状態にある係止部３８を収容する収容凹部２４とを設ける。この被係止部２３の両側に凹溝状の受入溝２２を設けて、カバー４の後部３９における左右側壁３５が嵌装できるように設けることによって、カバー４を胴体１にセットしたとき、カバー４の後部３９が外力によって押圧されても横方向にずれ動くのを未然に防ぎ、安定したカバー４の設置ができるように形成したものである。
【００２７】
胴体１の上翼板１０に設けた挿入孔１９に嵌装する爪杆２は、上下方向に対向して配置された上片２５と下片２６とを備え、上片２５の一端に下方へ向けて突出する凸状の支持凸部２７を設けて、胴体１に設けた取付柱１７に形成した凹状の支持凹部１８に載置して掛止する。上片２５と下片２６とは爪杆２の他端側へ向けて平行状に延び、上片２５と下片２６との間に引手５の軸部４０を収容できる凹状の作動凹部２９を形成し、下片２６の先端に下方へ向けて突出する停止爪２８を設け、胴体１に爪杆２をセットしたとき、図６に示すように胴体１におけるファスナーエレメントを挿通し、ファスナーエレメントの移動をガイドするガイド溝１３に出没自在に形成する。
【００２８】
爪杆２の上面に載置する板バネ３は、全体が長方形で略中央部分に屈曲部３０を形成して、板バネ３の長さ方向の一端部を他端部に比べて上向きにやや屈折した形に形成する。胴体１に爪杆２、板バネ３、カバー４、引手５を組立てたときは、図６に示すように的確に爪杆２の上片２５の上面を押圧して、爪杆２の下片２６に設けた停止爪２８をガイド溝２８内へ突入する方向へ付勢する。一方、引手５を組立てる前であると、図３に示すように板バネ３がカバー４の頂壁３２を上方へ押圧して、カバー４の後部３９を上方へ押し上げる作用がある。
【００２９】
カバー４は、全体が逆船底形で、前後方向の中央部分を挟んで前部３１と後部３９とに区画されている。具体的には、前方に前方壁３３、後方に後方壁３４、両側面に側壁３５、天井部分に頂壁３２を設け、両側の側壁３５の中央部分に凹状の凹部３６を形成して、引手５の軸部４０が挿入することができるように形成する。すなわち、前方壁３３と前方壁３３から凹部３６までの間の側壁３５で前部３１を構成し、後方壁３４と、後方壁３４から凹部３６までの間の側壁３５で後部３９を構成している。後方壁３４の中央に係止舌片３７を切起して弾発性を備えさせ、先端に内方へ屈折する舌片を設けて係止部３８を形成して、胴体１にカバー４をセットしたとき、図６に示すように胴体１に形成した被係止部２３に係止するとともに収容凹部２４内へ入り込んで収容される。またカバー４は図２に示すように頂壁３２の上面から前方の側壁３５の下端までの長さＨ１と、頂壁３２の上面から後方の側壁３５の下端までの高さＨ２とを比較すると、Ｈ１＞Ｈ２であり、各下端の間には高さ寸法ｈの差が存在する。
【００３０】
そしてカバー４の前部３１の左右両側の側壁３５と前方壁３３との下端部分をカバー４の前方側から後方側へ向けて下り勾配の形に切欠して、その下端面に傾斜面４３を形成する。これにより、図３に示すように上翼板１０の凹陥部２０に嵌装したカバー４が、取付柱１７を中心に上方へ回動して後部３９を浮上させたとき、傾斜面４３が凹陥部２０の底面に接してカバー４がさらに上方へ回動することを防止するストッパーとして働く。さらに後部３９の左右両側の側壁３５の下端部分にカバー４の後方側から前方側へ向けて、すなわち凹部３６へ向けて上り勾配の形の切欠部４４を形成する。これにより、爪杆２に形成した作動凹部２９に向けて引手５の軸部４０が移動する際に軸部４０と側壁３５とが接触し合わないように形成する。
【００３１】
この自動停止装置付スライダーの組立ては、最初に胴体１の取付柱１７に設けた支持凹部１８に対し、爪杆２の支持凸部２７を上方から載置して掛止するとともに、爪杆２の下片２６を挿入孔１９に挿入して先端の停止爪２８をガイド溝１３に対し出没自在に形成し、その上方から板バネ３を配するが、板バネ３の安定度からみて、カバー４内に板バネ３を仮固定した方が得策であり、この状態でカバー４を上方から供給して取付柱１７を被覆する形、例えば図３に示すように形成した後、前方の両側の側壁３５を取付柱１７の枢支溝２１に対して、図４に示すように側方から加締めて側壁３５の内面に凸部４２を形成し、枢支溝２１で凸部４２を枢支することによって、引手後付けタイプの自動停止装置付スライダーを完成させる。
【００３２】
完成された自動停止装置付スライダーは、図３に示すように、胴体１の後口１６側において、胴体１とカバー４との間に引手５の軸部４０を挿通可能な間隙４１が形成され、この間隙４１から引手５の軸部４０を挿入し、胴体１の肩口１５側すなわち、胴体１にセットした爪杆２に向けて移動させる。このとき、図５に示すように引手５の軸部４０が爪杆２の上片２５の先端に接して押し上げ、作動凹部２９へ入り込んで収容される。その後、図６に示すようにカバー４を下方へ回動させ、カバー４の後部３９を胴体１の上翼板１０へ接近させて、間隙４１を閉鎖する。このとき後部３９に設けた係止部３８を胴体１に設けた被係止部２３に対して弾発的に押圧して係止させるとともに、カバー４における後部３９の左右の側壁３５を上翼板１０の上面に凹設した受入溝２２に嵌装し、安定した状態でカバー４を固定して、自動停止装置付スライドファスナー用スライダーに仕上げる。
【実施例１】
【００３３】
この発明における引手後付けタイプの自動停止装置付スライドファスナー用スライダーは、前項で述べたとおり、図１に示すように胴体１、爪杆２、板バネ３、カバー４と、これらの部材を組立てた後に取り付けられる引手５の五部材で構成される。胴体１は亜鉛合金またはアルミニウム合金を用いてダイカスト成形され、上下に対向して配置した上翼板１０と下翼板１１とを案内柱１２で連結し、上翼板１０と下翼板１１の左右両側に沿って、対向する上下翼板１０、１１へ向けて突出するフランジ１４を形成して、上翼板１０と下翼板１１と、案内柱１２とフランジ１４とで囲まれた空間にファスナーエレメントをガイドするガイド溝１３を形成する。上翼板１０の上面の肩口１５側すなわち案内柱１２の上方位置にカバー４を取り付けるための取付柱１７を立設し、取付柱１７の左右方向の中央に、爪杆２の一端に設けた凸状の支持凸部２７を掛止することができる凹状の支持凹部１８を上翼板１０の上面よりも上方の位置に設け、この支持凹部１８から胴体１の前後方向の中央部分に向けて爪杆２の下片２６が挿入できる挿入孔１９を上翼板１０の上面に穿設し、この挿入孔１９は図３に示すようにガイド溝１３に連通している。また、胴体１の上翼板１０の上面における取付柱１７よりも肩口１５側の部分と取付柱１７の左右両側の部分とに、カバー４の前部３１における前方壁３３と左右両側壁３５との下端部分が嵌装できる凹状の凹陥部２０を形成し、カバー４の前部３１を支持して、外力によってカバーが左右方向へずれ動くことを未然に防ぎ、図４に示すようにカバー４を安定した状態で上翼板１０の上面に配置することができる。さらに、取付柱１７の左右両側面には、カバー４の前部３１に形成した凸部４２を収容して、前部３１と回動可能に枢支する枢支溝２１が形成されている。
【００３４】
胴体１の上翼板１０の後口１６側に、カバー４の後部３９に形成した係止部３８を係止できる被係止部２３と、係止部３８を収容可能な凹状の収容凹部２４とを設ける。この被係止部２３は図３に示すように、収容凹部２４の内側面から胴体１の後口１６側へ向けて突出し、その上面が後口１６側へ向けて下り勾配に形成し、この勾配によって、被係止部２３に接した係止部３８を徐々に弾性変形させ、係止部３８が被係止部２３を乗り越えて、元の形状に弾性復帰した際に、係止部３８と被係止部２３が係止する。また、被係止部２３の左右両側に凹溝状を呈する受入溝２２を設けて、カバー４の後部３９における左右両側壁３５の下端部分が嵌装できるように設けることによって、カバー４を胴体１の上翼板１０上へセットしたとき、受入溝２２がカバー４の後部３９の側壁３５を支持し、外力によって左右方向へずれ動くのを未然に防ぎ、図７に示すように安定した状態でカバー４を上翼板１０の上面へ配置することができる。
【００３５】
胴体１の上翼板１０に設けた挿入孔１９に嵌装する爪杆２は、上下方向に対向する上片２５と下片２６とを備え、上片２５の一端に、下方へ向けて突出する凸状の支持凸部２７を設けて、胴体１に立設した取付柱１７の中央に形成した凹状の支持凹部１８に載置して爪杆２を胴体１に掛止する。上片２５の長手方向中間部分から支持凸部２７とは反対側の他端へ向けて、上片２５と平行状に延びる下片２６を突設し、この上片２５と下片２６との間に、引手５の軸部４０が嵌装できる凹状を呈する作動凹部２９を形成する。また下片２６の先端に下方へ向けて突出する停止爪２８を設け、胴体１に爪杆２をセットしたとき、図３に示すように、胴体１におけるファスナーエレメントを挿通してガイドするガイド溝１３に出没自在に形成して爪杆２を作製する。
【００３６】
爪杆２の上片２５の上面に載置する板バネ３はステンレス鋼から形成し、全体が略長方形であり、その中央に屈曲部３０を形成して、長さ方向の一端が他端部側に比べてやや上向きに屈折している。この板バネ３を胴体１にセットしたとき、図３に示すように、板バネ３の他端部が爪杆２の上片２５を押圧するとともに、下片２６の停止爪２８を胴体１の挿入孔１９を通してガイド溝１３内に進出させる。一方、板バネ３の一端部はカバー４の頂壁３２を上方へ押圧して、カバー４の後方壁３４を上方へ限度一杯に回動させ、カバー４の後部３９が上方へ持ち上げられた姿勢となり、後部３９と上翼板１０の上面との間に間隙４１が形成される。
【００３７】
カバー４は、高強度銅合金から形成し、全体が逆船底形で、前方に前方壁３３、後方に後方壁３４、両側面に側壁３５、天井部分に頂壁３２を設け、両側の側壁３５の中央部分に凹状に切欠した凹部３６を形成し、引手５の軸部４０が挿通することができるように形成する。この凹部３６を挟んで、カバー４の前方側を前部３１とし、後方側を後部３１とし、前部３１は前方壁３３と、前方壁３３の左右に配置された左右側壁３５とから構成され、後部３９は、後方壁３４と、後方壁３４の左右に配置された左右側壁３５で構成される。後部３９の後方壁３４の左右方向の中央に後方壁３４の一部を切起して弾発性を備えた係止舌片３７を形成し、先端にカバー４の前方側へ向けて屈折する舌片状の係止部３８を形成して、カバー４を胴体１にセットしたとき、図６に示すように胴体１に形成した被係止部２３に弾発的に係止する。このとき、係止部３８は、被係止部２３と収容凹部２４との間の間隙４１に入り込み、係止部３８と被係止部２３とは胴体１の上下方向に重なり合う位置に配置される。これにより、カバー４を上方へ引っ張っても、係止状態が解除してしまうことがない。またカバー４は図２に示すように頂壁３２の上面から前部３１の側壁３５の下端までの高さＨ１と、頂壁３２の上面から後部３９の側壁３５の下端までの高さＨ２とを対比すると、Ｈ１＞Ｈ２の条件であり、各下端の間には高さ寸法ｈの差が存在する。後部３９の側壁高さＨ２が前部３１の側壁高さＨ１よりも低いことにより、後部３９が持ち上がった上方位置にあるとき、上翼板１０の上面との間に形成する間隙４１の高さ寸法を広く確保することができる。また前部３１の側壁３５の高さＨ２が後部３９の側壁３５よりも高いことによって、カバー４の前部３１の側壁３５が凹陥部２０内へ深く嵌り込み、カバー４の左右方向から外力が加わってもカバー４が位置ずれしないようにできる。
【００３８】
カバー４の前部３１の左右側壁３５と前方壁３３との下端部分をカバー４の前方側から後方側へ向けて下り勾配の形に切欠し、その下端縁に沿って傾斜面４３を形成する。また前部３１の左右側壁３５の内面には、各側壁３５の一部と側方から押圧して塑性変形させ、対向状に突出させた凸部４２を形成する。この凸部４２が取付柱１７の枢支溝２１内に遊嵌される。図３に示すように上翼板１０の凹陥部２０に嵌装したカバー４が取付柱１７の枢支溝２１に遊嵌した凸部４２を中心にして回動して後部３９を上方へ浮上させた時、前部３１の傾斜面４３が凹陥部２０の底面と当接して、カバー４の上方への回動を規制する。さらに後部３９の左右の側壁３５は、引手５の軸部４０を挿通するカバー４の凹部３６に接する手前の下端部分とカバー４の後方側から前方側へ向けて上り勾配の形の切欠部４４を形成し、爪杆２に形成した作動凹部２９に向けて、引手５の軸部４０を移動させたときに、軸部４０と側壁３５とが干渉し合わないように形成する。
【００３９】
この自動停止装置付スライダーの組立ては、最初に胴体１の取付柱１７に設けた支持凹部１８に対し、爪杆２の支持凸部２７を上方から載置して掛止するとともに、爪杆２の下片２６を挿入孔１９に挿入して先端の停止爪２８をガイド溝１３に対し出没自在に形成し、その上方から板バネ３を配するが、組立て時における板バネ３の姿勢の安定度を考え、カバー４内に板バネ３を仮固定した方が得策であり、この状態でカバー４を上方から供給して、取付柱１７を被覆する形、例えば図３に示すように形成する。勿論爪杆２上へ板バネ３を載置できれば、単独で載置して固定してもよい。いずれの場合もその後、取付柱１７の両側の側面に形成した凹条の枢支溝２１に対し、図４に示すように側方からカバー４の側壁３５を加締めて凸部４２を形成し、凸部４２を枢支することによって、引手後付けタイプの自動停止装置付スライダーに仕上げることができる。
【００４０】
完成された自動停止装置付スライダーは、図３に示した状態から引手５の軸部４０を胴体１の上翼板１０の上面とカバー４の後部３９の下端との間に形成された間隙４１からカバー４の内方へ挿入し、図５に示すように引手５の軸部４０が爪杆２の上片２５を押し上げて作動凹部２９内に収容される。その後、図６に示すようにカバー４を前部３１の凸部４２を中心にして回動させ、後部３９が上翼板１０の上面に接近する方向へ下降して間隙４１を閉鎖する。この際、後部３９に設けた係止部３８を胴体１に形成した被係止部２３に弾発的に係止させるとともに、カバー４における後部３９の側壁３５の下端部分を上翼板１０に凹設した受入溝２２に嵌装して安定した状態でカバー４を固定して、自動停止装置付スライドファスナー用スライダーに仕上げる。
【００４１】
なお、スライダー胴体１に嵌装された引手５を交換したいときは、胴体１の被係止部２３に係止しているカバー４の係止部３８を弾力に抗して外せば、カバー４は板バネ３の弾力によって、後部３９が浮上し、再び形成された間隙４１から引手５の軸部４０を取り外して引手５を交換することも可能である。また、係止部と被係止部の形状は上記実施例に限定されず、例えば係止部に孔を設け、被係止部として孔に嵌入する突部を設けるものであってもよい。あるいは、係止部を首部と頭部とを備えた逆Ｔ字形状とし、また被係止部として首部が嵌り込む凹部を設けるものであってもよい。
【産業上の利用可能性】
【００４２】
この発明の引手後付けタイプの自動停止装置付スライドファスナー用スライダーは、衣服、カバンなどを取り扱う取扱業者が自分たちが希望するデザインまたはブランドの引手を、需要者自身が自由にファスナーチエンに装備され、または装備されていないスライダーに取り付けて、自動停止装置付スライドファスナー用スライダーを装備した商品として販売する。
【図面の簡単な説明】
【００４３】
【図１】実施例１に基づく引手後付けタイプの自動停止装置付スライドファスナー用スライダーの分解斜視図である。
【図２】同上のスライダーに用いるカバーの縦断面図である。
【図３】同上のスライダーに対し引手を取り付ける状態を示すスライダーの縦断面図である。
【図４】同上のスライダーにおける図３のＡ−Ａ断面図である。
【図５】同上のスライダーに対し引手を取り付ける状態を示すスライダーの縦断面図である。
【図６】同上のスライダーに引手を取り付けた状態を示す縦断面図である。
【図７】同上のスライダーにおける図６のＢ−Ｂ断面図である。
【図８】公知のスライダーの分解斜視図である。
【図９】同上のスライダーの引手挿入状態を示す縦断面図である。
【符号の説明】
【００４４】
１      胴体
２      爪杆
３      板バネ
４      カバー
５      引手
１３    ガイド溝
１５    肩口
１６    後口
１７    取付柱
１９    挿入孔
２０    凹陥部
２１    枢支溝
２２    受入溝
２３    被係止部
２４    収容凹部
２８    停止爪
２９    作動凹部
３１    前部
３３    前方壁
３４    後方壁
３５    側壁
３７    係止舌片
３８    係止部
３９    後部
４０    軸部
４１    間隙
４２    凸部
４３    傾斜面
４４    切欠部
【図１】
2008173344.tif 000003
【図２】
2008173344.tif 000004
【図３】
2008173344.tif 000005
【図４】
2008173344.tif 000006
【図５】
2008173344.tif 000007
【図６】
2008173344.tif 000008
【図７】
2008173344.tif 000009
【図８】
2008173344.tif 000010
【図９】
2008173344.tif 000011